(57)【要約】  タブレットＰＣなどの電子機器に対して入力するようにした筆跡情報等を、使用者の意図に合致して消去できるようにする。位置指示器（１）は、芯体（５５）の先端部（５５ａ）が消去部（３）の底面（３ａ）の外側の面及び側面（３ｂ）の外側の面から所定距離、離隔されると共に、消去部（３）に加えられる圧力が芯体（５５）に伝達されるように筐体（２）内に固定される。そして、電子機器の操作面に対して、筐体（２）を傾けるようにして消去部を接触させるようにすると、消去部（３）の底面（３ａ）と側面（３ｂ）とが形成する角部が操作面に接触し、位置指示器（１）からは位置指示信号と、消去部（３）にかかる圧力を示す情報とが出力される。
2020095710.tif 000002
【特許請求の範囲】
【請求項１】
筐体と、
底面と前記底面の外縁から延伸された側面の少なくとも一部とを、前記筐体の端面から突出させると共に、前記筐体に対して摺動可能に取り付けられる消去部と、
芯体と前記芯体に加えられる圧力を検出する圧力検出部とを有し、前記芯体による消去位置を示す位置指示信号と、前記圧力検出部で検出された圧力を示す情報とを出力する位置指示器と
を備え、
前記位置指示器は、前記消去部に包含され、前記芯体の先端部が前記消去部の底面の外側の面から離されると共に、前記消去部に加えられる圧力が前記芯体に伝達されるように前記筐体内に固定される
ことを特徴とする電子消去具。
【請求項２】
請求項１に記載の電子消去具であって、
前記位置指示器の前記芯体は、前記消去部とは別体に構成され、
前記位置指示器は、前記芯体の先端部が、前記消去部の前記底面の内側の面に接するように、前記筐体内に固定される
ことを特徴とする電子消去具。
【請求項３】
請求項１または請求項２に記載の電子消去具であって、
表示装置と位置検出装置とを備えた電子機器の消去対象画像が表示される表示画面に対応する操作面に対して、前記筐体を所定の角度で傾けるようにして前記消去部を接触させるようにした場合に、前記消去部の前記底面と前記側面とが形成する角部が前記操作面に接触する接点と、前記芯体の前記先端部から前記操作面に対して降ろした垂線と前記操作面との交差位置とが、前記筐体の傾きに応じて接近することで、消去可能エリアが形成される
ことを特徴とする電子消去具。
【請求項４】
請求項１に記載の電子消去具であって、
前記消去部の前記底面の形状は、円形、半円形、多角形のいずれかである
ことを特徴とする電子消去具。
【請求項５】
請求項１に記載の電子消去具であって、
前記位置指示器は、前記圧力検出部において検出された前記圧力を示す情報と、前記位置検出装置において前記位置指示器の傾きを検出するための情報と、前記位置検出装置において前記位置指示器の軸心を中心とする回転を検出するための情報とを、前記位置指示信号に含めて送信する
ことを特徴とする電子消去具。
【請求項６】
請求項１に記載の電子消去具であって、
無線送信部を備え、
前記圧力を示す情報と自機が電子消去具であることを示す情報の一方または両方を、前記無線送信部を通じて前記位置検出装置に送信する
ことを特徴とする電子消去具。
【請求項７】
請求項１に記載の電子消去具であって、
前記位置指示器は共振回路を備え、
表示装置と電磁誘導方式の位置検出装置とを備えた電子機器の前記位置検出装置との間で信号の送受信を行うことによって、前記電子機器の前記表示装置の表示画面に対応する操作面上の消去位置を指示する電磁誘導授受方式の位置指示器である
ことを特徴とする電子消去具。
【請求項８】
請求項１に記載の電子消去具であって、
前記位置指示器は発振回路を備え、
前記発振回路からの信号を、導電性材料により形成された前記芯体を通じて送出することによって、表示装置と静電結合方式の位置検出装置を備えた電子機器の前記表示装置の表示画面に対応する操作面上の消去位置を指示する静電結合方式の位置指示器である
ことを特徴とする電子消去具。
【請求項９】
表示装置と位置検出装置とを備えた電子機器と電子消去具とからなる筆記情報処理システムであって、
前記電子消去具は、
筐体と、
底面と前記底面の外縁から延伸された側面の少なくとも一部とを、前記筐体の端面から突出させると共に、前記筐体に対して摺動可能に取り付けられる消去部と、
芯体と前記芯体に加えられる圧力を検出する圧力検出部とを有し、前記芯体による消去位置を示す位置指示信号と、前記圧力検出部で検出された圧力を示す情報とを出力する位置指示器と
を備え、
前記位置指示器は、前記消去部に包含され、前記芯体の先端部が前記消去部の底面の外側の面から離されると共に、前記消去部に加えられる圧力が前記芯体に伝達されるように前記筐体内に固定されるものであり、
前記電子機器は、
前記位置検出装置からの検出出力に基づいて、前記表示装置に対して消去エリアを表示するように制御する表示制御部
を備えることを特徴とする筆記情報処理システム。
【請求項１０】
請求項９の筆記情報処理システムであって、
前記表示制御部は、前記筐体を所定の角度で傾け、更に前記筐体を回転させた場合、前記筐体の回転位置に応じて、前記消去可能エリアを変更し表示させるように制御する
ことを特徴とする筆記情報処理システム。
【発明の詳細な説明】
【技術分野】
【０００１】
この発明は、例えば、タブレットＰＣ（Personal Computer）などに対して、書き込むようにした情報を、文房具の消しゴムと同様の使用態様で消去できるようにする電子消去具及び当該電子消去具を用いて構成するシステムに関する。
【背景技術】
【０００２】
ＬＣＤ（Liquid Crystal Display）などの薄型の表示装置と位置検出センサとを備えたタブレットＰＣや高機能携帯電話端末などの電子機器が広く利用されるようになってきている。このような電子機器に対しては、いわゆる電子ペンを用いることによって、文字、図形、記号などを、使用者による筆跡情報として入力することができる。筆跡情報の入力に際しては、電子ペンの指示位置に応じた表示装置の表示画面上の位置に筆跡情報に応じた筆跡画像が表示されるので、使用者は用紙に鉛筆で記録する場合と同様にして電子機器に筆跡情報を入力できる。【０００３】
電子機器に対して電子ペンを用いて入力した筆跡情報を修正したい場合には、筆跡情報の入力時とは異なる信号を送出するイレーサ（消しゴム）機能を用いて、筆跡情報を消去する。イレーサ機能は、後に記す特許文献１に開示されているように、電子ペンの後端部に設けられる。すなわち、後端部に消しゴムが付いた鉛筆の場合と同様に、電子ペンの一方の端部が筆記機能となり、他方の端部がイレーサ機能となるイレーサ機能付き電子ペンが利用される。そして、使用者は、表示装置の表示画面に表示された筆跡画像を確認しながら、消去したい部分にイレーサ機能が設けられている電子ペンの後端部を近づけて、修正したい部分の筆跡情報を消去する。【０００４】
しかし、後端に消しゴムが付いた鉛筆を使用している場合であっても、用紙に書いた筆跡を消す場合には、当該鉛筆の後端に設けられた消しゴムが使用されることは少なく、独立型の消しゴムが利用されることが多い。その理由の１つは、独立型の消しゴムの方が使い慣れており、鉛筆の後端に設けられた消しゴムを使用するよりも、使用者が思った通りに綺麗に筆跡を消去できるためであると考えられる。このため、電子ペンにより電子機器に入力した筆跡情報を消去する場合にも、後に記す特許文献２に開示されているように、筆跡情報の消去機能だけを備えた独立型の電子消去具も実現されている。
【先行技術文献】
【特許文献】
【０００５】
【特許文献１】特開平８−０６９３５０号公報
【特許文献２】特開平２−１５５０２０号公報
【発明の概要】
【発明が解決しようとする課題】
【０００６】
しかしながら、特許文献２に開示されているような筆跡情報の消去機能だけを備えた独立型の電子消去具の場合には、特許文献２にも開示されているように、信号を放射する側の端面全面が指示位置となる。このため、従来の独立型の電子消去具の場合には、ごく狭い範囲の筆跡情報の消去がし難い。そこで、独立型の電子消去具についても、文房具の消しゴムの角を使って行うような、細かな部分の消去も簡単に行うことができるようにすることが望まれている。【０００７】
近年においては、タブレットＰＣなどの電子機器が、小学校や中学校といった教育現場において、児童、生徒によって利用されることも多くなってきている。このため、用紙に鉛筆で筆跡を残すように、電子機器に電子ペンで筆跡情報を入力できるだけでなく、用紙に書いた筆跡を消しゴムで消すように、電子機器に入力した筆跡情報を使用者の意図する通りに消去ができるようにすることが望まれている。【０００８】
以上のことに鑑み、この発明は、文房具の消しゴムを使用する場合と同様にして、タブレットＰＣなどの電子機器に対して入力するようにした筆跡情報等を、使用者の意図に合致して消去できるようにすることを目的とする。
【課題を解決するための手段】
【０００９】
上記課題を解決するため、
筐体と、
底面と前記底面の外縁から延伸された側面の少なくとも一部とを、前記筐体の端面から突出させると共に、前記筐体に対して摺動可能に取り付けられる消去部と、
芯体と前記芯体に加えられる圧力を検出する圧力検出部とを有し、前記芯体による消去位置を示す位置指示信号と、前記圧力検出部で検出された圧力を示す情報とを出力する位置指示器と
を備え、
前記位置指示器は、前記消去部に包含され、前記芯体の先端部が前記消去部の底面の外側の面から離されると共に、前記消去部に加えられる圧力が前記芯体に伝達されるように前記筐体内に固定される
ことを特徴とする電子消去具を提供する。【００１０】
この電子消去具によれば、消去部は、筐体に対して取り付けられるが、消去部の底面と側面の少なくとも一部とが筐体の端面から突出すると共に、筐体に対して摺動可能なように取り付けられる。なお、この明細書において「摺動」は、例えばピストンのように、滑るようにして、入ったり、出たり、移動することを意味する。位置指示器は、芯体の先端部が消去部の底面の外側の面から離隔されると共に、消去部に加えられる圧力が芯体に伝達されるように筐体内に固定される。そして、電子機器の操作面に対して、筐体を傾けるようにして消去部を接触させるようにすると、消去部の底面と側面とが形成する角部が操作面に接触し、位置指示器からは位置指示信号と、消去部にかかる圧力を示す情報とが出力される。【００１１】
これにより、指示位置に対応する表示装置の表示画面上の位置を基準にして、消去部にかけられている圧力に応じた範囲（消去可能エリア）の消去対象画像（表示されている筆跡情報等）を消去するように制御できる。
【図面の簡単な説明】
【００１２】
【図１】第１の実施の形態の電子消去具を説明するための図である。
【図２】第２の実施の形態の電子消去具を説明するための図である。
【図３】第２の実施の形態の他の例の電子消去具を説明するための図である。
【図４】文房具としての消しゴムの使用態様を示す図である。
【図５】第２の実施の形態の他の例の電子消去具の使用態様を説明するための図である。
【図６】電子消去具と電子機器とからなる筆記情報処理システムについて説明するための図である。
【図７】電子消去具に用いられる位置指示器の他の例を説明するための図である。
【図８】図７に示した位置指示器が搭載された電子消去具が使用される電子機器を説明するための図である。
【図９】電子消去具の筐体への位置指示器の配置態様について説明するための図である。
【図１０】電磁誘導方式の位置指示器の等価回路の一例と、静電容量方式の位置指示器の等価回路の一例を示す図である。
【発明を実施するための形態】
【００１３】
以下、この発明による電子消去具の実施の形態と、当該電子消去具と電子機器とからなる筆記情報処理システムの実施の形態とについて、図を参照しながら説明する。この発明の電子消去具は、ＬＣＤ（Liquid Crystal Display）などの薄型の表示装置と位置検出装置とが搭載された、タブレットＰＣ（Personal Computer）やスマートホンなどの電子機器に対して用いられるものである。
【００１４】
すなわち、この発明の電子消去具は、当該電子機器に対して電子ペン（記録用の位置指示器）が用いられて入力された文字、記号、図形などの筆跡情報等を消去する場合に用いられるものであり、電子消しゴムとも呼べるものである。そして、この発明の筆記情報処理システムは、電子消去具とタブレットＰＣやスマートホンなどの電子機器とによって構成され、電子ペンが用いられて入力されて表示されている情報を、電子消去具を用いて消去がしやすいように工夫されたものである。
【００１５】
［電磁誘導方式とアクティブ静電結合方式の概要］
まず、位置検出装置及び位置指示器（電子ペン）の概略構成について説明する。位置検出装置及び位置指示器（電子ペン）の方式には、例えば、電磁誘導方式（ＥＭＲ（Electro Magnetic Resonance technology）方式）とアクティブ静電結合方式（ＡＥＳ（Active Electrostatic）方式）とがある。
【００１６】
電磁誘導方式は、Ｘ軸方向とＹ軸方向とのそれぞれに複数のループコイルを配設したセンサ部を位置検出装置が備える。そして、当該センサ部の複数のループコイルに順次に電力を供給して磁界を発生させる送信期間と、電力の供給を停止し外部からの磁界を受信する受信期間とを交互に設ける。対応する位置指示器は、コイルとコンデンサとからなる共振回路を備え、当該センサ部からの磁界に応じて、当該コイルに電流が流れることにより信号（磁界）を発生させ、この信号に筆圧情報を含めて位置検出センサに送信する。これを受信期間において位置検出装置が受信して、電子ペンによる指示位置と筆圧を検出する。
【００１７】
アクティブ静電結合方式の場合には、電子ペンは、電子ペンに搭載された発振回路からの信号に筆圧情報をも含めて送信し、これを位置検出装置で受信して、指示位置と筆圧を検出する。この発明の電子消去具は、電磁誘導方式の位置検出装置用にも構成できるし、また、アクティブ静電結合方式の位置検出装置用にも構成できる。以下に説明する実施の形態においては、説明を簡単にするため、電磁誘導方式（ＥＭＲ方式）の位置検出装置に対して用いることができるように構成した電子消去具の場合を例にして説明する。
【００１８】
［第１の実施の形態］
図１は、第１の実施の形態の電子消去具１を説明するための図である。図１（Ａ）の外観図に示すように、電子消去具１は、円筒形状の筐体２の長手方向の一方の端部（前端）に消去部３を設け、他方の端部（後端）からは後述する位置指示器５が装着されて保持された保持部４を挿入して固定することにより構成される。消去部３は、円形の底面３ａと、底面３ａの外周（外縁）から筒状に延びた側面３ｂを有する。
【００１９】
図１（Ｂ）は、電子消去具１の筐体２及び消去部３を長手方向に半分に切断し、その手前側部分を取り除いて示した図である。消去部３は、凹部を有するカップ形状のものであり、当該凹部の開口部側の端部が外側に張り出した形状を有している。消去部３と位置指示器５が装着された保持部４とが筐体２に取り付けられると、位置指示器５の芯体の先端部は、消去部３の底面内面に僅かに接触するようにされる。
【００２０】
この状態では、芯体が位置指示器５の軸心方向に必要以上に押し込まれることはない。消去部３の底面３ａと側面３ｂとは、図１（Ｂ）に示したように所定の厚みを有している。このため、電子消去具１が使用されていない状態では、位置指示器５の芯体の先端部は、消去部３の底面３ａの外側の面及び側面３ｂの外側の面から所定距離、離隔された位置に保持される。
【００２１】
また、消去部３は、外側より押圧されれば、筐体２の内部側に摺動可能（移動可能）になっている。このため、消去部３に加えられる圧力が位置指示器５の芯体に伝達され、位置指示器５に搭載されている圧力検出部によって、消去部３に加えられた圧力を検出できる。また、消去部３に加えられた圧力が解除されれば、位置指示器５は消去部３を押し戻し、消去部３は元の位置に復帰する。
【００２２】
図１（Ｃ）は、位置指示器５の構成を説明するための図である。図１（Ｃ）に示すように、コイル５１が巻回された磁性体コア、この例ではフェライトコア５２が筒状部５３と結合されている。そして、中空のパイプの構成とされた金属芯棒５４が、フェライトコア５２の軸心方向の中心線を含む位置に嵌合固定される。したがって、フェライトコア５２の中心線を含む位置には、当該フェライトコア５２の貫通孔に対してぴったりと合うようにパイプ形状の金属芯棒５４が入れ込まれて固定（固着）されている。
【００２３】
そして、位置指示器５においては、パイプ形状の金属芯棒の中空の部分（貫通孔）に、芯体５５が挿通され、その先端部５５ａはパイプ形状の金属芯棒５４から突出してペン先を構成し、他端は筒状部５３内に設けられている圧力検出部６を押圧するようになっている。また、筒状部５３内には、コイル５１と圧力検出部６と共に、共振回路を構成するコンデンサ７などの回路部品なども搭載されている。
【００２４】
なお、電子消去具１の筐体２は、例えば、ＰＥＴ樹脂などの硬質樹脂により形成される。また、消去部３や保持部４は、ＰＯＭ樹脂などの比較的硬質で弾性を有する樹脂材料により形成される。これにより、消去部３が、電子機器の表示装置の表示画面上に保護ガラスなどが設けられて構成される操作面に傷を付けることもないし、筐体２に対して保持部４を強固に嵌合させることもできる。
【００２５】
そして、電子機器に対して、電子ペンを用いて描画するなどして入力した筆跡情報が表示装置の表示画面に入力画像情報として表示された後に、当該入力画像情報の一部を消去する必要が生じたとする。この場合に、当該入力画像情報の消去する部分に対応する操作面上の位置に、電子消去具１を傾けて底面３ａと側面３ｂとが形成する角部、即ち、底面の外縁を接触させて押圧し、入力画像情報の消去部分が含まれる狭い範囲を擦るように移動させるようにする。
【００２６】
すなわち、図１（Ｄ）の電子消去具１の底面図に示すように、電子消去具１の筐体２の内側に消去部３が位置し、その中心に位置指示器５の芯体５５が位置している。従って、電子消去具１を傾けて使用した場合には、底面３ａと側面３ｂとが形成する角部、即ち、底面３ａの外縁部分が操作面との接触部となって、円柱状の消しゴムの角部で筆跡を消す場合と同様に電子消去具１を使用して、入力された消去対象画像の消去を行える。
【００２７】
電子消去具１がどちら側にどれだけ傾いているかは、位置検出装置において、電子消去具１に搭載された位置指示器５から放射された信号（磁界）の受信態様（受信した信号の波形の大きさ）に応じて判別可能である。傾けることで、検出される位置はずれてくるので補正により、位置指示器の先端部の位置検出装置における位置（座標）は先端部からの操作面へ垂線を引いた操作面との交差位置（以下、「交差位置」とする）に設定されている。
【００２８】
電子消去具１の角部で対象物を消去するには、電子消去具１を傾けたとき、内蔵されている位置指示器５の先端部の交差位置と角部が一致することである。この角部を表示対象物に押し付けることで、圧力が加わり、消去のための信号が位置検出装置で検出される。この状態で操作面上を擦るよう動かすと、対象物を消去することができる。なお、電子消去具１を傾ける角度は、位置指示器５の電子消去具内の位置に依存する。
【００２９】
図１（Ｅ）は、電子消去具１の位置指示器５と電子機器の操作面Ｓとの関係を説明するための図である。電子消去具１を操作面Ｓに対して例えば４５度傾けて消去部３を当該操作面Ｓに接触させた場合を考える。この場合、この例においては、図１（Ｄ）に示すように、電子消去具１に搭載されている位置指示器５の芯体５５の先端部５５ａから操作面Ｓに降ろした垂線と操作面Ｓとの交差位置が、ちょうど消去部３と操作面Ｓとの接触位置（接触点）Ｐに一致するようになっている。この部分を角部で擦ることで消去が行われる。
【００３０】
なお、電子消去具を傾ける角度は、正確に４５度でなくてもよい。例えば３５度から５５度でも位置指示器５の電子消去具１内の位置を変更することで、角部と消去範囲を一致させることができる。ただし、使いやすい角部の角度は４５度であることは、言うまでもない。
【００３１】
なお、上述したように、位置指示器５では、消去部３にかけられた圧力（押圧力）も検出でき、この検出結果を磁界として送出される位置指示信号に含むようにして送信できる。このため、電子機器側においては、指示位置と共に消去部３にかけられている圧力も検出できるので、その圧力に応じて、指示位置を基準として消去範囲を広げたり、狭めたりすることが可能になる。これにより、文房具としての消しゴムを使用する場合と同様に、電子消去具１の消去部３にかかる圧力に応じて、消去範囲を制御することもできる。
【００３２】
また、電子消去具１を、消去部３を下向きにして落としたり、消去部を壁などに強くぶつけてしまったりする場合もあると考えられる。この場合には、電子消去具１を消去に用いる場合のように、消去部３に比較的にゆっくりと徐々に圧力が加わるのではなく、消去部３に急激に過大な圧力がかかり、これが位置指示器５に印加されることになる。しかし、この第１の実施の形態の保持部４の内部には、いわゆるショックアブソーバ機構が設けられており、消去部３及び位置指示器５に急激に過大な圧力がかかった場合には、これをショックアブソーバ機構が吸収する。これにより、消去部３や位置指示器の破損を防止している。
【００３３】
［第２の実施の形態］
図２は、第２の実施の形態の電子消去具１Ａを説明するための図である。図２（Ａ）の外観図に示すように、電子消去具１Ａは、いわゆるカク型のものであり、筐体２Ａと消去部３Ａと、保持部４Ａとを備える。筐体２Ａは、外観が略直方体形状で中は中空となっている。消去部３Ａは、筐体２Ａの長手方向の一方の端部（前端）に設けられる。筐体２Ａの長手方向の他方の端部（後端）からは後述する位置指示器５が装着されて保持された保持部４Ａを挿入して固定される。
【００３４】
図２（Ｂ）は、電子消去具１Ａの筐体２Ａ、消去部３Ａ、保持部４Ａについて透明なものとしてその内部を見えるように示した図である。図２（Ｂ）に示すように、消去部３Ａは、凹部を有するカップ形状のものであるが、当該凹部の開口部側の一方の端部が、保持部４Ａの先端側の支点ＳＰに回動可能なように取り付けられている。これにより、消去部３Ａは、支点ＳＰを中心にして他方の端部側が筐体２Ａ内に押し込まれたり、復帰したりするように摺動（移動）することができるようになっている。
【００３５】
また、図２（Ｂ）に示すように、位置指示器５が保持部４Ａに装着されて保持されている。位置指示器５は、図１（Ｃ）を用いて説明したものと同様のものである。そして、消去部３Ａと位置指示器５が装着された保持部４Ａとが筐体２Ａに取り付けられると、位置指示器５の芯体５５の先端部５５ａは、消去部３Ａの底面の内側の面に僅かに接触するようにされる。しかし、この状態では、芯体５５が位置指示器５の軸心方向に必要以上に押し込まれることはない。消去部３Ａの底面３ａと側面３ｂとは、図２（Ｂ）に示したように所定の厚みを有している。このため、電子消去具１Ａが使用されていない状態では、位置指示器５の芯体５５の先端部５５ａは、消去部３Ａの底面３Ａａの外側の面及び側面３Ａｂの外側の面から所定距離、離隔された位置に保持される。
【００３６】
そして、電子機器に対して、電子ペンを用いて描画するなどして入力した情報が表示装置の表示画面に入力画像情報として表示された後に、当該入力画像情報の一部を消去する必要が生じたとする。この場合に、当該入力画像情報の消去する部分に対応する操作面上の位置に、電子消去具１Ａを傾けて図２（Ｃ）に示した消去部３の半円形になった部分の外縁３Ｘを接触させて押圧し、入力画像情報の消去部分が含まれる狭い範囲を擦るように移動させるようにする。この外縁３Ｘは、底面３Ａａと側面３Ａｂとが形成する角部が形成する部分であり、消去部３Ａの角部である。
【００３７】
この場合、上述した第１の実施の形態の電子消去具１の場合と同様に、操作面に接触している消去部３Ａの底面の外縁３Ｘ部分が消去位置を示すように機能する。そして、図２（Ｃ）に示したように、電子消去具１Ａの筐体２Ａの内側に消去部３Ａが位置し、その半円形に形成された部分の当該半円形の直径の中心に位置指示器５の芯体５５が位置している。したがって、電子消去具１Ａを傾けて、底面３Ａａと側面３Ａｂとが形成する角部の部分、即ち、底面３Ａａの半円形部分の外縁３Ｘの部分を操作面に接触させると、この接触部分が消去位置を示す位置となる。これにより、円柱状の消しゴムの角で筆跡を消す場合と同様に、この第２の実施の形態の電子消去具１Ａを使用して、入力画像情報の消去を行える。
【００３８】
図２（Ｄ）は、電子消去具１Ａの位置指示器５と操作面との関係を説明するための図である。電子消去具１Ａを操作面Ｓに対して例えば４５度傾けて消去部３Ａの外縁３Ｘを当該操作面Ｓに接触させた場合を考える。この場合、図２（Ｄ）に示すように、電子消去具１に搭載されている位置指示器５の芯体５５の先端部（ペン先）５５ａから操作面Ｓに降ろした垂線と操作面Ｓとの交差位置が、ちょうど消去部３Ａの外縁３Ｘと操作面Ｓとの接触位置Ｐに一致するように位置指示器５は電子消去具１の内部に組み込まれている。
【００３９】
従って、この第２の実施の形態の電子消去具１Ａにおいても、図１（Ｅ）を用いて説明した第１の実施の形態の電子消去具１の場合と同様にして、消去部３Ａの外縁３Ｘが操作面Ｓに接触したこと、及びその接触位置を特定できるので、ちょうど、この位置に角部がくるように位置指示器５を電子消去具１Ａに組み込むようにして、角部を擦ることで対象物を消去可能としている。
【００４０】
また、第１の実施の形態の電子消去具１の場合と同様に、電子消去具１Ａに搭載された位置指示器５の圧力検出部６において検出される消去部３Ａにかけられる圧力に応じて、指示位置を基準として消去範囲を広げたり、狭めたりすることが可能になる。これにより、文房具としての消しゴムを使用する場合と同様に、電子消去具１Ａの消去部３Ａにかかる圧力に応じて、消去範囲を制御することもできる。
【００４１】
また、電子消去具１Ａは、略立方体形状のものであり、第１の実施の形態のチョーク型の電子消去具１よりも大きい。このため、図２（Ｂ）に示したように、筐体２Ａ内に収納される保持部４Ａの一部分の替え芯５５（１）、５５（２）、…と、芯抜き８を収納する収納部４Ａａを設けている。筆記用の電子ペンに用いられる替え芯は短く細いものであるので、これを単体で保持使用とする紛失したり、破損したりする可能性が高い。
【００４２】
しかし、替え芯５５（１）、５５（２）、…と芯抜き８とを、電子消去具の保持部４Ａに設けられた収納部４Ａａに収納しておくことにより、紛失したり、破損したりすることなく、持ち運ぶことができる。なお、保持部４Ａの収納部４Ａａは、図２（Ｄ）の上面図に示したように、収納部４Ａａの付属蓋を例えばスライド移動させることにより、収納部４Ａａの開口が露呈する。そして、当該開口より替え芯５５（１）、５５（２）、…や芯抜き８を収納したり、取り出したりできる。なお、芯抜き８は、電子ペンに装着されている芯体５５の先端部５５ａを挟み込んで引っ張ることにより、簡単に芯体５５を電子ペンから取り外すことができるようにするものである。
【００４３】
更に、保持部４Ａの位置指示器５を保持する部分には、第１の実施の形態の電子消去具１の場合と同様に、いわゆるショックアブソーバ機構が設けられている。これにより、消去部３Ａ及び位置指示器５に急激に過大な圧力がかかった場合には、これをショックアブソーバ機構が吸収し、消去部３や位置指示器５の破損を防止できる。なお、第２の実施の形態の電子消去具１Ａにおいても、筐体２Ａは、例えば、ＰＥＴ樹脂などの硬質樹脂により形成される。また、消去部３Ａや保持部４Ａは、ＰＯＭ樹脂などの比較的硬質で弾性を有する樹脂材料により形成される。
【００４４】
［第２の実施の形態の変形例］
図３は、第２の実施の形態の他の例の電子消去具１Ｂを説明するための図である。図２を用いて説明した第２の実施の形態の電子消去具１Ａの消去部３Ａは、図２（Ｃ）を用いて説明したように、長方形の１つの短辺が半円形になった形状の底面３Ａａと、底面３Ａａの外縁から筒状に延びた側面３Ａｂを有するものであった。
【００４５】
これに対して、この変形例の電子消去具１Ｂは、消去部３Ｂの形状が、図３（Ａ）に示すように、長方形の底面３Ｂａと、この底面３Ｂａの４つの辺のそれぞれから延びた側面３Ｂｂ（１）、３Ｂｂ（２）、３Ｂｂ（３）、３Ｂｂ（４）を有するものである。従って、図３（Ｂ）に示すように、電子消去具１Ｂはその消去部３Ｂを含めて、文房具の一般的な消しゴムと同様にほぼ直方体形状（マッチ箱の形状）のものとなる。そして、消去部３Ｂの底面３Ｂａの４つの角部をＣ１、Ｃ２、Ｃ３、Ｃ４とする。
【００４６】
図４は、文房具である直方体形状の消しゴムの使用態様を示す図である。この変形例の電子消去具１Ｂは、ほぼ直方体形状のものであるので、図４に示した一般的な文房具の直方体形状の消しゴムの使用態様と全く同じ態様で使用することが可能になる。すなわち、消去部３Ｂの角部Ｃ１、Ｃ２を用いて消去したり、消去部３Ｂの角部Ｃ１と角部Ｃ２を結ぶ直線状角部を用いて消去したりすることが可能になる。
【００４７】
図５は、この変形例の電子消去具１Ｂの使用態様について説明するための図である。図５（Ａ）に示すように、電子消去具１Ｂを操作面Ｓに対して所定の角度、例えば４５度傾けて、消去部３Ｂの角部Ｃ１を電子機器の操作面Ｓに接触させたとする。この場合、この例の電子消去具１Ｂに内蔵された位置指示器５の芯体５５の先端部５５ａから操作面Ｓに降ろした垂線と操作面Ｓとの交差位置が操作面Ｓと接触している角部Ｃ１と一致するようになっている。従って、電子消去具１Ｂにおける位置指示器５の配置位置は決まっているので、位置指示器５の芯体５５の先端部５５ａから操作面Ｓに降ろした垂線を基準にして消去部３Ｂの角部と操作面Ｓとの接触位置を特定できる。この特定した接触位置を基準として消去可能エリアＡｒ１を設定し、消去対象画像の消去ができる。
【００４８】
なお、電子消去具１Ｂを傾ける角度は、正確に４５度でなくてもよい。例えば３５度から５５度でも位置指示器５ペンの電子消去具１Ｂ内の位置を変更することで、角部と消去範囲を一致させることができる。ただし、使いやすい角部の角度は４５度であることは、言うまでもない。
【００４９】
また、図５（Ｂ）に示すように、電子消去具１Ｂを操作面Ｓに対して所定の角度、例えば４５度傾けて、角部Ｃ１と角部Ｃ２を結ぶ直線状角部を電子機器の操作面Ｓに接触させたとする。この場合、この例の電子消去具１Ｂに内蔵された位置指示器５の芯体５５の先端部５５ａから操作面Ｓに降ろした垂線が操作面Ｓと接触している直線状角部と一致する。従って、電子消去具１Ｂにおける位置指示器５の配置位置は決まっているので、位置指示器５の芯体５５の先端部５５ａから操作面Ｓに降ろした垂線を基準にして消去部３Ｂの角部Ｃ１と角部Ｃ２を結ぶ直線状角部と操作面Ｓとの接触位置を特定できる。そして、この特定した接触位置を基準として消去可能エリアＡｒ２を設定し、消去対象画像の消去ができるようにしている。
【００５０】
また、図５（Ｃ）に示すように、消去部３Ｂの角部Ｃ１と角部Ｃ２を結ぶ直線角部を操作面Ｓに接触させるが、操作面Ｓに対して電子消去具１Ｂを傾ける角度を小さくしたとする。例えば、操作面Ｓと電子消去具１Ｂの側面とのなす角の角度が５５度より大きく９０度未満である場合を考える。この場合には、電子消去具１Ｂに内蔵された位置指示器５の芯体５５の先端部５５ａから操作面Ｓに降ろした垂線と操作面Ｓとの交差位置は、消去部３Ｂと操作面Ｓとの実際の接触位置と大きく乖離する。
【００５１】
そこで、電子消去具１Ｂの傾きが小さい場合には、消去部３Ｂと操作面Ｓとの実際の接触位置を消去可能エリアの設定するための基準とはせずに、実際の接触位置の前方、すなわち、位置指示器５の芯体５５の先端部５５ａから操作面Ｓに降ろした垂線と操作面Ｓとの交差位置を基準にして消去可能エリアＡｒ３を設定するようにする。
【００５２】
これとは逆に、電子消去具１Ｂを傾ける角度を大きくしたとする。例えば、操作面Ｓと電子消去具１Ｂの側面とのなす角の角度が０度より大きく３５度未満である場合を考える。この場合にも、電子消去具１Ｂに内蔵された位置指示器５の芯体５５の先端部５５ａから操作面Ｓに降ろした垂線と操作面Ｓとの交差位置は、消去部３Ｂと操作面Ｓとの実際の接触位置と大きく乖離する。
【００５３】
そこで、電子消去具１Ｂの傾きが大きい場合にも、消去部３Ｂと操作面Ｓとの実際の接触位置を消去可能エリアの設定するための基準とはしない。この場合には、実際の接触位置の後方、すなわち、位置指示器５の芯体５５の先端部５５ａから操作面Ｓに降ろした垂線と操作面Ｓとの交差位置を基準にして消去可能エリアＡｒ３を設定するようにする。これらの場合には、文房具の消しゴムの使用態様とは異なるが、消去対象画像を目視して確認しながら消去を行うことが可能である。
【００５４】
このように、電子消去具１Ｂの使用態様によって消去可能エリアを変えるようにするためには、電子消去具１Ｂによる指示位置を電子機器の位置検出装置において検出できるだけでなく、電子消去具１Ｂの傾き及び回転を検出できるようにしなければならない。上述した実施の形態の電子消去具に搭載されている位置指示器５は、上述もしたように、電磁誘導結合方式のものである。このため、電子消去具１Ｂの傾きは、位置指示器５のコイル５１から位置指示信号として放射される磁界の位置検出装置側での受信領域に応じて検知可能である。簡単には、位置指示器のコイルの傾きにより位置検出装置の受信する信号（磁界）の波形が異なる。この波形の大きさを比較することで、傾きを算出することができる。
【００５５】
電子消去具１Ｂの回転は、電子消去具１Ｂに搭載される位置指示器５のフェライトコア及びコイルの搭載態様を工夫する必要がある。すなわち、円筒形のフェライトコア５２の側面にコイル５１を巻回して構成した部分を次のように構成する。まず、円筒形のフェライトコアを長手方向に２分割してハーフパイプ形状の第１及び第２のフェライトコアを形成し、これらの切断面を対向して組み合わせることにより、筒孔が形成される筒状のコア部材を用意する。
【００５６】
第２のフェライトコアに第２のコイルを巻回し、第１のフェライトコアの切断面を対向させて筒状にする。そして、この第１のフェライトコアと第２のコイルを巻回した第２のフェライトコアからなるコア部材を合わせた状態で第１のコイルを巻回する。このようにして形成されたコア部材が、図１（Ｃ）に示した位置指示器５のフェライトコア５２とコイル５１とからなる部分に替えられる。そして、第１のコイルと第２のコイルへ交互に電流を流すことで、位置検出装置側で座標変位を検出することができる。この変位に基づいて、回転角を算出することができる。なお、電磁誘導方式の位置指示器の回転を検出する構成等については、特開２０１０−１９１５８８号公報に詳しく説明されている。
【００５７】
回転角を検出することにより回転角に応じた消去エリアの更なる例として、図５（Ｂ）に示す角部Ｃ１と角部Ｃ２を結ぶ直線状角部が操作面Ｓに接しているときは、細長い消去可能エリアＡｒ２が表示され、徐々に回転させて角部Ｃ１で接する場合は、図５（Ａ）に示すように狭い消去可能エリアＡｒ１が表示され、更に回転させることで、角部Ｃ１と角部Ｃ４を結ぶ直線状角部が操作面Ｓに接する場合は、図には示していないが、角部Ｃ１と角部Ｃ４を含む細長い消去エリアが表示され、この消去エリアが消去の対象となる。
【００５８】
このようにして、図３〜図５を用いて第２の実施の形態の変形例の電子消去具１Ｂの場合には、電子機器側において、電子消去具１Ｂの使用態様を特定し、その使用態様に応じた消去対象エリアを形成して、入力画像情報（消去対象画像）の消去を行うようにできる。具体的には、図５（Ａ）に示した頂点接触状態（点接触状態）と、図５（Ｂ）に示した短辺接触状態（辺接触状態）と、図５（Ｃ）に示した底面指示状態とを、電子機器側で特定し、そのそれぞれに状態に応じて消去可能エリアを特定して入力画像情報の消去を行える。
【００５９】
［筆記情報処理システムの構成］
図６は、電子消去具１Ｂと電子機器１００とからなる筆記情報処理システムについて説明するための図である。上述したように、電子消去具１、１Ａ、１Ｂは、電子機器と協働することによって、電子機器に対して電子ペンを用いて入力し、表示するようにした入力画像情報の消去を可能にする。このため、電子機器の概略構成を説明すると共に、電子消去具１Ｂと電子機器とからなる筆記情報処理システムの利用態様の一例について説明する。
【００６０】
図６に示すように、電子機器１００には、薄型の表示装置としてＬＣＤ１０と、ループコイルがＸ軸方向とＹ軸方向とに複数配列されて形成された位置検出センサ部と、制御処理部３０とが積層されて筐体に収納されることによって構成される。なお、ＬＣＤ１０はバックライトなどを含み、その上面には保護ガラスが設けられる。また、制御処理部３０は、いわゆるマザーボード上に電子回路として構成される。また、これらが収納される筐体については省略している。
【００６１】
そして、位置検出センサ部２０と制御処理部３０の検出処理部３１とで位置検出装置を構成している。また、ＬＣＤ１０と表示処理部３２とで表示装置を構成している。検出処理部３１は、使用するループコイルの切り替え制御、送信期間と受信期間の切り替え制御を行う。また、検出処理部３１は、受信期間においては、位置検出センサ部２０を通じて受信した位置指示器からの磁界（位置指示信号）に基づいて、電子消去具１Ｂの指示位置、傾き、回転、電子消去具１Ｂの消去部３Ｂにかけられている押圧力を検出する。そして、検出処理部３１は、検出結果を表示処理部３２に通知する。
【００６２】
表示処理部３２は、検出処理部３１からの指示位置、傾き、回転、押圧力に基づいて、電子消去具１Ｂの姿勢を特定し、図６において消去可能エリアＡｒ１が示すように、消去可能範囲を示すようにする。具体的には、消去可能範囲を線で囲んで示したり、消去可能範囲を反転表示させたりするなどの処理を行う。そして、電子消去具１Ｂの指示位置の変化に応じて、消去可能エリアに表示されている入力画像情報を消去する消去処理を実行する。当該消去処理は、ＬＣＤ１０の表示画面の消去可能エリアに表示されている入力画像情報を消去すると共に、当該入力画像情報に対応する蓄積対象の画像データをも消去する。これにより、電子消去具１Ｂの使用者は、自分の意図に応じて、目的とする入力画像情報の消去を行うことができる。
【００６３】
［押圧力等の別経路での送信］
上述した実施の形態では、例えば位置指示器５から送出される位置指示信号に、消去部３、３Ａ、３Ｂにかけられる押圧力を示す情報も含めて送出した。しかし、これに限るものではない。少なくとも消去部３、３Ａ、３Ｂにかけられる押圧力は、位置指示器５側で検出可能である。このため、当該押圧力は、位置指示信号とは別に位置検出装置側に送信することもできる。図７は、電子消去具に用いられる位置指示器の他の例を説明するための図である。図８は、図７に示した位置指示器が搭載された電子消去具が使用される電子機器を説明するための図である。
【００６４】
この他の例の位置指示器５Ｘは、図７に示すように、圧力検出機構部５０１と圧力信号送信部５０２とを備える。圧力検出機構部５０１は、圧力検出部６Ｘを備えると共に、図１（Ｃ）を用いて説明した位置指示器５の場合と同様、フェライトコア５２、コイル５１、金属芯棒５４、芯体５５を備えた部分となる。また、フェライトコア５２とコイル５１とに替えて、上述したように、第１、第２のフェライトコアと、第１、第２のコイルと、第２のフェライトコアに巻回されたコイルへの導通制御を行うスイッチを備えた構成とすることもできる。この例の位置指示器５Ｘは、後者の回転の検出も可能にする構成を備えたものである。
【００６５】
そして、圧力検出部６Ｘは、その検出出力を圧力信号送信部５０２の信号変換部５０２ａ（図７では「ＩＣ」と記載。）に供給する。信号変換部５０２ａは、圧力検出部６Ｘからの検出出力はアナログ信号であるので、これをデジタル信号に変換し、送信回路５０２ｂに供給する。送信回路５０２ｂは、信号変換部５０２ａからの押圧力を示すデジタル信号を送信用のフォーマットに準拠した送信信号を形成し、これを送信アンテナ５０２ｃを通じて送出して位置検出装置側に送信する。
【００６６】
この例の位置指示器５Ｘに対応する電子機器２００は、例えばタブレットＰＣであり、図８に示すように、電磁誘導方式の位置検出センサ部２１０と、圧力等信号受信部２２０と、検出処理部２３０とを備える。これら位置検出センサ部２１０と圧力等信号受信部２２０と検出処理部２３０とにより位置検出装置が構成される。従って、図８には図示していないが、位置検出センサ部２１０の上面側には、ＬＣＤなどの薄型の表示装置が積層配置されている。
【００６７】
位置検出センサ部２１０は、検出処理部２３０の制御に応じて、送信期間においては、選択されたループコイルに電流が供給されることにより、磁界を発生させて送信するようにする。また、受信期間においては、ループコイルを通じて位置指示器５Ｘからの位置指示信号を受信し、検出処理部２３０に供給する。また、圧力等信号受信部２２０は、位置指示器５Ｘの送信回路５０２ｂを通じて送信される圧力信号を受信し、これを自機において処理可能な形式の信号に変換して検出処理部２３０に供給する。
【００６８】
検出処理部２３０は、ループコイルの切り替え制御や送信期間と受信期間の切り替え制御を行う。また、検出処理部２３０は、受信期間において位置検出センサ部２１０を通じて受信した位置指示器５Ｘからの位置指示信号と受信したループコイルの位置に基づいて、指示位置、傾き、回転を検出する。更に、検出処理部２３０は、圧力等信号受信部２２０からの信号に基づいて、消去部にかけられた押圧力を検出する。そして、検出処理部２３０は、これら検出した指示位置、傾き、回転、押圧力を、図８には図示していないが、表示制御回路に供給する。
【００６９】
当該表示処理部は、検出処理部２３０からの指示位置、傾き、回転、押圧力に基づいて、位置指示器５Ｘが搭載された電子消去具の姿勢をも特定する。そして、当該表示処理部は、例えば図５の消去可能エリアＡｒ１、Ａｒ２、Ａｒ３が示すように、消去可能範囲を示すように消去エリアの表示制御ができる。また、当該表示制御部は、位置指示器５Ｘが搭載された電子消去具の指示位置の変化に応じて、消去可能エリアに表示されている入力画像情報を消去する消去処理を実行することができる。
【００７０】
なお、ここでは、圧力検出部６Ｘで検出された押圧力を示す情報だけを送信回路５０２ｂと送信アンテナ５０２ｃを通じて送信するようにしたが、これに限るものではない。例えば、電子消去具から送信されたものであることを示す情報を、送信回路５０２ｂと送信アンテナ５０２ｃを通じて送信するようにしてもよい。これにより、位置検出センサ部２１０で受信されている位置指示信号が、情報入力用の電子ペンから送出される信号と同じ周波数の信号であっても、当該位置指示信号は、消去を指示するものであること検出処理部２３０で検出し、これを表示処理部に通知できる。
【００７１】
［位置指示器の筐体内での配置態様］
図９は、電子消去具の筐体への位置指示器の配置態様について説明するための図である。図２（Ｂ）にも示し、また、図９（Ａ）にも示すように、直方体形状のいわゆる角型の電子消去具の場合であっても、位置指示器５は、筐体２の側面と平行に配置するようにしていた。しかしこれに限るものではない。例えば、図９（Ｂ）に示すように、筐体２内において、位置指示器５を側面と所定の角度θ分斜めになるように配置するようにしてもよい。
【００７２】
このようにすることによって、位置指示器５の芯体５５の先端部５５ａと、電子消去具の消去部３Ａ、３Ｂの操作面に対して接触させるべき角部との距離を近づけることができる。更に、芯体５５が配置されている位置を通って放射するようにされる磁界の多くが、集中して操作面に当たるようにできるので、位置検出装置側での磁界の受信位置を狭くすると共に受信レベルを高くすることができる。
【００７３】
［電磁誘導方式の位置指示器と静電結合方式の位置指示器］
上述した実施の形態では、電磁誘導方式の位置指示器と位置検出装置とを用いるものとして説明した。しかし、静電容量方式の位置指示器と位置検出装置とを用いる場合にもこの発明を適用できる。図１０は、電磁誘導方式の位置指示器の等価回路の一例と、静電容量方式の位置指示器の等価回路の一例を示す図である。
【００７４】
上述した実施の形態で用いた電磁誘導方式の位置指示器５は、図１０（Ａ）に示すように、コイル５１と、コンデンサ７と、圧力検出部６を構成する可変容量コンデンサとから構成されるものであった。この構成の位置指示器５により、指示位置、傾き、押圧力を、位置指示器５から放射される位置指示信号（磁界）によって、位置検出装置に伝達できた。更に、位置指示器の回転をも伝達できるようにするためには、上述もしたように、フェライトコア５２とコイル５１とからなる部分を、第１、第２のフェライトコアと、第１、第２のコイルと、第２のコイルの導通制御を行うスイッチとかなる構成に変更する。これにより、当該位置指示器が搭載された電子消去具１Ｂの回転についても位置検出装置に伝達できる。
【００７５】
また、静電容量方式の位置指示器９は、例えば、図１０（Ｂ）に示すように、導電性の芯体８１と、導電線８２と、発振回路８３と、芯体８１により押圧される圧力検出部としての可変容量コンデンサ８４と、駆動電力を供給する電源回路８５により構成できる。これにより、指示位置と芯体にかかる押圧力は、芯体から出力される信号によって、位置検出装置に伝達できる。この構成の位置指示器９により、図１、図２に示した態様の静電容量方式の電子消去具を実現できる。
【００７６】
なお、静電容量方式の位置指示器において、位置指示器の傾きや回転を位置検出装置に伝達できるようにするためには、例えば、芯体は非導電性のもとのとし、この芯体に対して、また、この芯体の近傍に、複数（２つ以上）の電極を設けるようにする。この複数の電極の中から予め決められた選択パターンに基づき選択された電極に交流信号を供給するように切替回路を設ける。そして、切替回路によって設定されたパターンが切替えられた際に設定されたパターンの種類を示すパターン情報をタブレットに対して送信する。このパターン情報を位置検出装置において解析することによって、位置指示器の回転や傾きを検出するようにできる。なお、この技術については、特開２０１４−３５６３１号公報に詳述されている。
【００７７】
［実施の形態の効果］
上述した実施の形態の電子消去具１、１Ａ、１Ｂは、文房具の消しゴムを使用する場合と同様にして、タブレットＰＣなどの電子機器に対して入力するようにした筆跡情報を、使用者の意図に合致して消去することができる。具体的には、電子消去具１、１Ａの消去部３、３Ａの底面と側面とが形成する角部を基準にして、また、電子消去具１Ｂの消去部３Ｂの頂点（点）、短辺（直線）、底面（面）を基準にして、消去可能エリアを特定し、消去対象画像の消去を行うことができる。従って、電子機器専用の電子消しゴムが実現できる。
【００７８】
また、実施の形態の電子消去具１、１Ａ、１Ｂと電子機器とからなるシステムの場合、電子消去具の使用態様に応じて、消去可能エリアを使用者が認識可能な態様で示すことができるので、消し間違えを防止することができる。具体的には、消去可能範囲を、消去部３、３Ａ、３Ｂの角に集中して設けることができるシステムが実現できる。
【００７９】
また、上述したように、位置指示器からの信号によって位置指示器の回転、即ち、電子消去具の絶対的な回転角を電子機器において検出可能な場合には、電気機器の表示制御部の機能によって、回転角に対応する辺に応じた消去可能エリアを設定することもできる。すなわち、図５（Ａ）に示したように、消去部３Ｂの頂点を基準にして消去可能エリアを設定したり、図５（Ｂ）に示したように、消去部３Ｂの短辺を基準にして消去可能エリアを設定したりすることができる。
【００８０】
［変形例］
なお、図５を用いて説明したように、電子消去具１、１Ａ、１Ｂによる消去可能範囲は、電子消去具１、１Ａ、１Ｂを傾けた側と反対の方向に設け、これを表示可能にした。しかし、これに限るものではない。電子消去具１、１Ａ、１Ｂによる消去可能範囲は、電子消去具１、１Ａ、１Ｂを傾けた側と同一方向に設け、これを表示することも可能である。また、どちらを消去可能範囲にするかを、ユーザが電子機器に設定するようにしてもよい。
【００８１】
また、電子機器側において、電子消去具１、１Ａ、１Ｂの消去部３、３Ａ、３Ｂにかけられた圧力に応じて、消去可能エリアを大きくしたり、小さくしたりすることもできる。また、電子機器側において、電子消去具１、１Ａ、１Ｂの傾きに応じて、消去可能エリアを変化させることもできる。この場合、傾けなさ過ぎても、また、傾けすぎても、消去可能エリアをどの程度にするかの制御が難しくなるため、電子消去具１、１Ａ、１Ｂは、操作面に対して、３５度〜５５度の範囲で傾けて使用することが好ましい。
【００８２】
また、電子消去具１、１Ａ、１Ｂの消去部３、３Ａ、３Ｂを操作面に接触させて、移動させるようにした場合には、消去動作が行われているので、電子機器側で消去の強度を高め、消去可能範囲の消去対象画像を確実に消去できるように制御するようにしてもよい。
【００８３】
また、消去部の底面の形状は、消去部３に示したように、円形であってもよいし、消去部３Ａに示したように、半円形または半円形を含むものであってもよいし、また、消去部３Ｂに示したように四角形であってもよい。また、消去部の底面は、四角形以外にも、３角形以上の多角形とすることもできる。すなわち、消去部の底面は、側面と共に角をなすように構成できる種々の形状とすることができる。
【００８４】
また、電子消去具１、１Ａ、１Ｂの操作面Ｓに対するか傾きが、例えば３５度から５５度の範囲内においては、接触位置Ｐは、電子消去具１、１Ａ、１Ｂの操作面Ｓに対する傾きが４５度の場合と同じであると位置検出装置側で特定することができる。このようにすれば、電子消去具１、１Ａ、１Ｂの操作面Ｓに対するか傾きが、例えば３５度から５５度の範囲内であれば、傾き変わっても接触位置Ｐを基準にして消去可能エリアを設定し、消去処理をシームレスに行うことができる。
【符号の説明】
【００８５】
１、１Ａ、１Ｂ…電子消去具、２、２Ａ…筐体、３、３Ａ、３Ｂ…消去部、３ａ、３Ａａ、３Ｂａ…底面、３ｂ、３Ａｂ、３Ｂｂ（１）、３Ｂｂ（２）、３Ｂｂ（３）、３Ｂｂ（４）…側面、４、４Ａ…保持部、４Ａａ…収納部、５、９…位置指示器、５１…コイル、５２…フェライトコア、５３…筒状部、５４…金属芯棒、５５…芯体、５５（１）…替え芯、５５ａ…先端部、６…圧力検出部、７…コンデンサ、８…芯抜き、Ａｒ１、Ａｒ２、Ａｒ３…消去可能エリア、１０…ＬＣＤ、２０…位置検出センサ、３０…制御処理部、３１…検出処理部、３２…表示処理部、１００…電子機器、２００…電子機器、２１０…位置検出センサ部、２２０…圧力等信号受信部、２３０…検出処理部、５Ｘ…位置指示器、５０１…圧力検出機構部、６Ｘ…圧力検出部、５０２…圧力信号送信部、５０２ａ…信号変換部、５０２ｂ…送信回路、５０２ｃ…送信アンテナ、８１…芯体、８２…導電線、８３…発振回路、８４…圧力検出部、８５…電源回路
【図１】
2020095710.tif 000003
【図２】
2020095710.tif 000004
【図３】
2020095710.tif 000005
【図４】
2020095710.tif 000006
【図５】
2020095710.tif 000007
【図６】
2020095710.tif 000008
【図７】
2020095710.tif 000009
【図８】
2020095710.tif 000010
【図９】
2020095710.tif 000011
【図１０】
2020095710.tif 000012
【手続補正書】
【提出日】令和3年3月24日(2021.3.24)
【手続補正１】
【補正対象書類名】明細書
【補正対象項目名】００２９
【補正方法】変更
【補正の内容】
【００２９】
図１（Ｅ）は、電子消去具１の位置指示器５と電子機器の操作面Ｓとの関係を説明するための図である。電子消去具１を操作面Ｓに対して例えば４５度傾けて消去部３を当該操作面Ｓに接触させた場合を考える。この場合、この例においては、図１（Ｅ）に示すように、電子消去具１に搭載されている位置指示器５の芯体５５の先端部５５ａから操作面Ｓに降ろした垂線と操作面Ｓとの交差位置が、ちょうど消去部３と操作面Ｓとの接触位置（接触点）Ｐに一致するようになっている。この部分を角部で擦ることで消去が行われる。
【手続補正２】
【補正対象書類名】明細書
【補正対象項目名】００３５
【補正方法】変更
【補正の内容】
【００３５】
また、図２（Ｂ）に示すように、位置指示器５が保持部４Ａに装着されて保持されている。位置指示器５は、図１（Ｃ）を用いて説明したものと同様のものである。そして、消去部３Ａと位置指示器５が装着された保持部４Ａとが筐体２Ａに取り付けられると、位置指示器５の芯体５５の先端部５５ａは、消去部３Ａの底面の内側の面に僅かに接触するようにされる。しかし、この状態では、芯体５５が位置指示器５の軸心方向に必要以上に押し込まれることはない。消去部３Ａの底面３Ａａと側面３Ａｂとは、図２（Ｂ）に示したように所定の厚みを有している。このため、電子消去具１Ａが使用されていない状態では、位置指示器５の芯体５５の先端部５５ａは、消去部３Ａの底面３Ａａの外側の面及び側面３Ａｂの外側の面から所定距離、離隔された位置に保持される。
【手続補正３】
【補正対象書類名】明細書
【補正対象項目名】００３８
【補正方法】変更
【補正の内容】
【００３８】
図２（Ｄ）は、電子消去具１Ａの位置指示器５と操作面との関係を説明するための図である。電子消去具１Ａを操作面Ｓに対して例えば４５度傾けて消去部３Ａの外縁３Ｘを当該操作面Ｓに接触させた場合を考える。この場合、図２（Ｄ）に示すように、電子消去具１Ａに搭載されている位置指示器５の芯体５５の先端部（ペン先）５５ａから操作面Ｓに降ろした垂線と操作面Ｓとの交差位置が、ちょうど消去部３Ａの外縁３Ｘと操作面Ｓとの接触位置Ｐに一致するように位置指示器５は電子消去具１Ａの内部に組み込まれている。
【手続補正４】
【補正対象書類名】明細書
【補正対象項目名】００４１
【補正方法】変更
【補正の内容】
【００４１】
また、電子消去具１Ａは、略直方体形状のものであり、第１の実施の形態のチョーク型の電子消去具１よりも大きい。このため、図２（Ｂ）に示したように、筐体２Ａ内に収納される保持部４Ａの一部分の替え芯５５（１）、５５（２）、…と、芯抜き８を収納する収納部４Ａａを設けている。筆記用の電子ペンに用いられる替え芯は短く細いものであるので、これを単体で保持使用とする紛失したり、破損したりする可能性が高い。
【手続補正５】
【補正対象書類名】明細書
【補正対象項目名】００４２
【補正方法】変更
【補正の内容】
【００４２】
しかし、替え芯５５（１）、５５（２）、…と芯抜き８とを、電子消去具の保持部４Ａに設けられた収納部４Ａａに収納しておくことにより、紛失したり、破損したりすることなく、持ち運ぶことができる。なお、保持部４Ａの収納部４Ａａは、図２（Ｂ）に示したように、収納部４Ａａの付属蓋を例えばスライド移動させることにより、収納部４Ａａの開口が露呈する。そして、当該開口より替え芯５５（１）、５５（２）、…や芯抜き８を収納したり、取り出したりできる。なお、芯抜き８は、電子ペンに装着されている芯体５５の先端部５５ａを挟み込んで引っ張ることにより、簡単に芯体５５を電子ペンから取り外すことができるようにするものである。
【手続補正６】
【補正対象書類名】明細書
【補正対象項目名】００５４
【補正方法】変更
【補正の内容】
【００５４】
このように、電子消去具１Ｂの使用態様によって消去可能エリアを変えるようにするためには、電子消去具１Ｂによる指示位置を電子機器の位置検出装置において検出できるだけでなく、電子消去具１Ｂの傾き及び回転を検出できるようにしなければならない。上述した実施の形態の電子消去具に搭載されている位置指示器５は、上述もしたように、電磁誘導方式のものである。このため、電子消去具１Ｂの傾きは、位置指示器５のコイル５１から位置指示信号として放射される磁界の位置検出装置側での受信領域に応じて検知可能である。簡単には、位置指示器のコイルの傾きにより位置検出装置の受信する信号（磁界）の波形が異なる。この波形の大きさを比較することで、傾きを算出することができる。
【国際調査報告】
2020095710.tif 000013
2020095710.tif 000014
2020095710.tif 000015
2020095710.tif 000016